(57)【要約】      （修正有）【課題】杖の機能をもつ傘構造であって、この傘は中棒に支えられて単独で使うことができ、日光がかなり強い時と雨が降る時に、傘とステッキを離せば、雨と日光を遮ることができるだけでなく、杖として通行者は利用することができる傘構造の提供。【解決手段】一のステッキ、一の傘、そして一の石突があり、ステッキの一端に手元があって、他端に玉ハジキがあり、傘の中央部分の上と下に上ロクロと下ロクロがあり、上ロクロと下ロクロは中棒に結び付けて、受骨は上ロクロと下ロクロの上と下にまで伸ばし出し、上ロクロの定位孔にスペーシング孔があり、上ロクロは動くことができないが、下ロクロは動くことができ、下ロクロは中棒の上を滑って、傘、受骨、弾力受骨の支えの動きにより、傘の開閉ができ、石突はゴムの材質を使って製造して、下はへこんでいて一の石突穴が設計されている。【選択図】図１
0003141269.tif 000002
【実用新案登録請求の範囲】
【請求項１】
一のステッキ、一の傘、そして一の石突があり、ステッキの一端に手元があって、別の一端に玉ハジキがあり、傘の中央部分の上に上ロクロを固定して、下には下ロクロがあり、上ロクロの中にパンチを固定して、上にはネジを設計して親骨とつなぎ、下には定位孔があり、また、下ロクロの中央部分にはパンチがあって、上には受骨とつなぐ上部上ロクロがあり、中には下のネジとスプリングを結んでつなぎ、受骨とスプリングの一端は親骨とつなぎ、上ロクロと下ロクロはパンチを利用して一つの中棒上につなぎ、受骨は上ロクロと下ロクロの上、下にあって、上ロクロの定位孔の部分に一つスペーシング孔があり、上ロクロは動かなくて、下ロクロは動くことができ、石突の材質はゴムで、下はへこんでいて一の石突穴が設計されている傘構造にあって、上ロクロと下ロクロは中棒に結び付けて、受骨は上ロクロと下ロクロの上と下にまで伸ばし出し、上ロクロの定位孔にスペーシング孔があり、上ロクロは動くことができないが、下ロクロは動くことができ、下ロクロは中棒の上を滑って、傘、受骨、弾力受骨の支えの動きにより、傘の開閉ができ、ステッキは棒の玉ハジキの一端から傘の中棒を通り抜け、玉ハジキは定位孔の中に入って、傘はステッキに固定され、最後に、石突は中棒の上を覆うようにしたことを特徴とする傘構造。
【請求項２】
中棒の上の部分はちょっと縮め、それにより石突は直接にステッキを覆うことができる請求項1記載の傘構造。
【請求項３】
石突を使わない請求項1記載の傘構造。
【考案の詳細な説明】
【技術分野】
【０００１】
本考案は、杖の機能をもつ傘構造に関し、日光が強い時あるいは雨が降る時に、日光と雨を遮る傘としてのみならず杖として歩行を助けるものである。
【背景技術】
【０００２】
従来、杖と傘は別々の道具と考えられているが、杖の機能を持つ傘も発明されている。その構造を、図５、図６、そして図７に示している。一のステッキ４０、一の傘５０、そして一の石突６０がある。ステッキ４０の一端に手元４２があって、別の一端に玉ハジキ４３がある。傘５０の中央部分の上に上ロクロ５１を固定して、下には下ロクロ５２がある。上ロクロ５１の中にパンチ511を固定して、上にはネジ512を設計して傘５３とつなぐ。下には定位孔513がある。また、下ロクロ５２の中央部分にはパンチがあって、上には上の受骨とつなぐ上部上ロクロ522がある。中には下部下ロクロ523とスプリング５３を結んでつなぐ。受骨５４とスプリング５５の一端は傘５３とつなぐ。石突６０の材質はゴムで、下はへこんでいて一の石突穴が設計されている。
組み合わせると、この傘は日光と雨を遮ることができる杖になり得る。傘を組み合わせる時に、ステッキ４０は棒４１の玉ハジキを通り抜けて、上ロクロ５１のパンチ511を通る。そうすると、通り抜ける時に玉ハジキが自ら圧縮される。玉ハジキ４３が定位穴513の中に入って、傘はステッキに固定される。最後に石突６０を上骨の上に覆う。下ロクロ５２が動くと、傘５３は受骨５４とスプリング５５に支えられて開閉することができる。杖として使う時は、傘の石突を取って定位穴513を押して縮めるようにする。その勢いに乗ってステッキ４０の棒４１と傘体５０が離れる。また石突６０をステッキ４０の一端に戻す。お年寄りにとってこの傘はすぐに杖になる。
【０００３】
しかしながら、上述した傘構造は実際に応用すると以下の問題がある。
（一）傘５０の中には中棒がないので、ステッキ４０と傘体５０が離れた後、傘は単独で使うことができない。もし雨が降っても、杖として使用している時に、この傘を使うことができない。
（二）傘５０を単独で使うことができないので、お年寄りと体の不自由な人は外出したいと思ったら、同時に杖と傘を持つ必要がある。様々な不便があるかもしれない。
【特許文献１】特開２０００−０１４４１９号公報
【考案の開示】
【考案が解決しようとする課題】
【０００４】
杖を持つ傘構造について、傘の中に中棒がないので、ステッキと傘体が離れた後、傘は単独で使うことができないため、もし雨が降って杖として使用しているときにこの傘を使うことができない。したがって、本考案はこの技術的問題を解決することにある。
【課題を解決するための手段】
【０００５】
本案に係る傘構造は、一のステッキ、一の傘、そして一の石突があり、ステッキの一端に手元があって、別の一端に玉ハジキがあり、傘の中央部分の上に上ロクロを固定して、下には下ロクロがあり、上ロクロの中にパンチを固定して、上にはネジを設計して親骨とつなぎ、下には定位孔があり、また、下ロクロの中央部分にはパンチがあって、上には受骨とつなぐ上部上ロクロがあり、中には下のネジとスプリングを結んでつなぎ、受骨とスプリングの一端は親骨とつなぎ、上ロクロと下ロクロはパンチを利用して一つの中棒上につなぎ、受骨は上ロクロと下ロクロの上、下にあって、上ロクロの定位孔の部分に一つスペーシング孔があり、上ロクロは動かなくて、下ロクロは動くことができ、石突の材質はゴムで、下はへこんでいて一の石突穴が設計されている傘構造にあって、上ロクロと下ロクロは中棒に結び付けて、受骨は上ロクロと下ロクロの上と下にまで伸ばし出し、上ロクロの定位孔にスペーシング孔があり、上ロクロは動くことができないが、下ロクロは動くことができ、下ロクロは中棒の上を滑って、傘、受骨、弾力受骨の支えの動きにより、傘の開閉ができ、ステッキは棒の玉ハジキの一端から傘の中棒を通り抜け、玉ハジキは定位孔の中に入って、傘はステッキに固定され、最後に、石突は中棒の上を覆うようにしたものである。
そして、中棒の上の部分はちょっと縮め、それにより石突は直接にステッキを覆うことができるようにしてもよいし、また石突を使わなくてもよい。
【考案の効果】
【０００６】
本に係る傘構造は公知の技術と比べ以下の効果が得られる。
(一)        
この考案は杖の機能をもつ傘構造であるが、この傘は中棒に支えられて単独で使うことができる。だから、日光がかなり強い時と雨が降る時に、傘とステッキを離せば、雨と日光を遮ることができるだけでなく、杖として通行者は利用することができる。
(二)        
この考案は杖の機能をもつ傘構造であるが、この傘は単独で使うことができるだけでなく、杖と同時に使うこともできる。だから、お年寄りと体の不自由な人が外出する場合に、もう一つ傘をもたなくてもよい。私たちの生活にとって便利である。
【考案を実施するための最良の形態】
【０００７】
一のステッキ、一の傘、そして一の石突があり、ステッキの一端に手元があって、別の一端に玉ハジキがあり、傘の中央部分の上に上ロクロを固定して、下には下ロクロがあり、上ロクロの中にパンチを固定して、上にはネジを設計して親骨とつなぎ、下には定位孔があり、また、下ロクロの中央部分にはパンチがあって、上には受骨とつなぐ上部上ロクロがあり、中には下のネジとスプリングを結んでつなぎ、受骨とスプリングの一端は親骨とつなぎ、上ロクロと下ロクロはパンチを利用して一つの中棒上につなぎ、受骨は上ロクロと下ロクロの上、下にあって、上ロクロの定位孔の部分に一つスペーシング孔があり、上ロクロは動かなくて、下ロクロは動くことができる、石突の材質はゴムで、下はへこんでいて一の石突穴が設計されている傘構造にあって、上ロクロと下ロクロは中棒に結び付けて、受骨は上ロクロと下ロクロの上と下にまで伸ばし出し、上ロクロの定位孔にスペーシング孔があり、上ロクロは動くことができないが、下ロクロは動くことができ、下ロクロは中棒の上を滑って、傘、受骨、弾力受骨の支えの動きにより、傘の開閉ができ、ステッキは棒の玉ハジキの一端から傘の中棒を通り抜け、玉ハジキは定位孔の中に入って、傘はステッキに固定され、最後に、石突は中棒の上を覆うようにする。
【実施例】
【０００８】
図１は本案の立体分解図、図２は本案の傘の組合せ図、図３は本案の傘の組合せ拡大図、図4は本案の傘と杖を同時に使う状態図である。
図１において、一のステッキ、一の傘、そして一の石突がある。ステッキの一端に手元があって、別の一端に玉ハジキがある。傘の中央部分の上に上ロクロを固定して、下には下ロクロがある。上ロクロの中にパンチを固定して、上にはネジを設計して親骨とつなぐ。下には定位孔がある。また、下ロクロの中央部分にはパンチがあって、上には受骨とつなぐ上部上ロクロがある。中には下のネジとスプリングを結んでつなぐ。受骨とスプリングの一端は親骨とつなぐ。上ロクロと下ロクロはパンチを利用して一つの中棒上につなぐ。この受骨は上ロクロと下ロクロの上、下にあって、上ロクロの定位孔の部分に一つスペーシング孔がある。上ロクロは動かなくて、下ロクロは動くことができる。石突の材質はゴムで、下はへこんでいて一の石突穴が設計されている。以上の構造に設計して、傘と杖を組み合わせた。
組み合わせると、この傘は日光と雨を遮る杖になる。傘を組み合わせる時に、ステッキ１０は棒１１の玉ハジキ１３の一端から傘２０の中棒２６を通り抜ける。通り抜ける時に玉ハジキ１３が自ら圧縮される。玉ハジキ１３は定位穴213の中に入って、傘２０はステッキ１０に固定される。最後に石突３０は中棒２６の上に覆う。下ロクロ２２が動くと、すぐ親骨２３は受骨２４とスプリング２５に支えられて開閉することができる（図2および図3参照）。お年寄りと体の不自由な人が手元１２をしっかりと握って、石突が地面と接触する時に、この傘はすぐ一の杖になる。しかも傘２０の上で帯をくくるから、杖として使わない時に、傘は外へ広げる。
また、歩く時に、もし日の光が熱くなれば、あるいは雨が降れば、傘を支える必要がある。もし、同時にステッキ１０を利用しなければならないときは、定位孔213とスペーシング孔261の玉ハジキを押す。それによって縮めて入った後で、勢いに乗ってステッキ１０の棒１１と傘２０の中棒２６は離れる。この時、手はステッキ１０の手元１２をしっかりと握って、ステッキ１０を利用して歩く（図４参照）。他の手は傘２０の中棒２６の下に握って、中棒２６を利用して雨と日光を遮ることができる。
尚、上ロクロと下ロクロをつなぐ親骨、受骨、スプリングは別の構成であってもよい。
【産業上の利用可能性】
【０００９】
本案に係る傘は中棒に支えられて単独で使うことができから、日光がかなり強い時と雨が降る時に、傘とステッキを離せば、雨と日光を遮ることができるだけでなく、杖として通行者は利用することができる。
また、この傘は単独で使うことができるだけでなく、杖と同時に使うこともできるから、お年寄りと体の不自由な人が外出する場合に、もう一つ傘をもたなくてもよく便利である。
【図面の簡単な説明】
【００１０】
【図１】本案の立体分解図である。
【図２】本案の傘の組合せ図である。
【図３】本案の傘の組合せ拡大図である。
【図４】本案の傘と杖を同時に使う状態図である。
【図５】周知の傘技術に基づく立体分解図である。
【図６】周知の傘技術に基づく立体分解図である。
【図７】周知の傘技術に基づく組合せ拡大図である。
【符号の説明】
【００１１】
１０    ステッキ
１１    棒
１２    手元
１３    玉ハジキ
２０    傘
２１    上ロクロ
２１１  パンチ
２１２  ネジ
２１３  定位孔
２２    下ロクロ
２２１  パンチ
２２２  上部上ロクロ
２２３  下部下ロクロ
２３    親骨
２４    受骨
２５    スプリング
２６    中棒
２６１  定位孔
３０    石突
３１    石突孔
４０    ステッキ
４１    棒
４２    手元
４３    玉ハジキ
５０    傘主体
５１    上ロクロ
５１１  パンチ
５１２  ネジ
５１３  定位孔
５２    下ロクロ
５２１  パンチ
５２２  上部上ロクロ
５２３  下部下ロクロ
５３    親骨
５４    受骨
５５    スプリング
５６    中棒
５６１  定位孔
６０    石突
６１    石突孔
【図１】
0003141269.tif 000003
【図２】
0003141269.tif 000004
【図３】
0003141269.tif 000005
【図４】
0003141269.tif 000006
【図５】
0003141269.tif 000007
【図６】
0003141269.tif 000008
【図７】
0003141269.tif 000009
【手続補正書】
【提出日】平成20年2月19日(2008.2.19)
【手続補正１】
【補正対象書類名】実用新案登録請求の範囲
【補正対象項目名】請求項３
【補正方法】変更
【補正の内容】
【請求項３】
一のステッキ、一の傘があり、ステッキの一端に手元があって、別の一端に玉ハジキがあり、傘の中央部分の上に上ロクロを固定して、下には下ロクロがあり、上ロクロの中にパンチを固定して、上にはネジを設計して親骨とつなぎ、下には定位孔があり、また、下ロクロの中央部分にはパンチがあって、上には受骨とつなぐ上部上ロクロがあり、中には下のネジとスプリングを結んでつなぎ、受骨とスプリングの一端は親骨とつなぎ、上ロクロと下ロクロはパンチを利用して一つの中棒上につなぎ、受骨は上ロクロと下ロクロの上、下にあって、上ロクロの定位孔の部分に一つスペーシング孔があり、上ロクロは動かなくて、下ロクロは動くことができる傘構造にあって、上ロクロと下ロクロは中棒に結び付けて、受骨は上ロクロと下ロクロの上と下にまで伸ばし出し、上ロクロの定位孔にスペーシング孔があり、上ロクロは動くことができないが、下ロクロは動くことができ、下ロクロは中棒の上を滑って、傘、受骨、弾力受骨の支えの動きにより、傘の開閉ができ、ステッキは棒の玉ハジキの一端から傘の中棒を通り抜け、玉ハジキは定位孔の中に入って、傘はステッキに固定されるようにしたことを特徴とする請求項1記載の傘構造。